(57)【要約】  車載無線通信装置１０が、車両１００内にあることを認識した場合には、例えば、通信相手の無線通信装置である第１の無線通信部１１ａ以外に同一の周波数帯を使用する無線通信方式で車両１００内の無線通信を行っている他の無線通信装置である第２の無線通信部１１ｂの受信電力レベルが過大にならないよう送信電力を調整する無線機２０に対して、無線機２０が車両内にあることを認識可能な情報を通知する車内通知処理部を備える。
2014054170.tif 000002
【特許請求の範囲】
【請求項１】
車両内に設けられ、無線通信を行う無線通信装置を備える車載無線通信装置において、
前記車両内にあることを認識した場合には、通信相手の前記無線通信装置以外に同一の周波数帯を使用する無線通信方式で前記車両内の無線通信を行っている他の無線通信装置の受信電力レベルが過大にならないよう送信電力を調整する無線機に対して、当該無線機が前記車両内にあることを認識可能な情報を通知する車内通知処理部を備えることを特徴とする車載無線通信装置。
【請求項２】
前記車内通知処理部は、前記無線通信装置であり、
前記無線機が車両内であることを認識可能な情報は、当該無線機と無線通信を確立するために前記無線通信装置から当該無線機へ通知される通信接続用ＩＤを、当該無線機が認識可能な車両に関する情報を含めて構成した情報であることを特徴とする請求項１記載の車載無線通信装置。
【請求項３】
前記車内通知処理部は、前記無線機に対して充電用電力を送電する充電処理部であり、
前記無線機が車両内であることを認識可能な情報は、当該無線機に前記充電用電力を送電するために前記充電処理部が当該無線機へ通知する情報を、当該無線機が認識可能な前記車両に関する情報を含めて構成した情報であることを特徴とする請求項１記載の車載無線通信装置。
【請求項４】
前記車内通知処理部は、前記無線機の認証処理を行う認証処理部であり、
前記無線機が車両内であることを認識可能な情報は、前記無線機を認証するために前記認証処理部が当該無線機に通知する情報を、当該無線機が認識可能な前記車両に関する情報を含めて構成した情報であることを特徴とする請求項１記載の車載無線通信装置。
【請求項５】
前記無線通信装置が通信相手の無線機と無線通信を行う際に、当該無線通信装置以外の無線通信装置が前記車両内で無線通信中であるか否かを判定する通信有無判定部を備え、
前記車内通知処理部は、
前記無線通信中であると前記通信有無判定部が判定した場合は、前記通信相手の無線機に対して送信電力を調整するよう指示し、
前記無線通信中でないと前記通信有無判定部が判定した場合には、前記通信相手の無線機に対して送信電力の調整を行わないよう指示することを特徴とする請求項１記載の車載無線通信装置。
【請求項６】
前記無線通信部の使用周波数帯の電波環境に基づいて、当該無線通信部以外に無線通信を行う無線通信部の受信電力レベルが過大にならない送信電力レベルを決定する電力レベル決定部を備え、
前記車内通知処理部は、通信相手の無線機に対して、前記電力レベル決定部が決定した送信電力レベルを通知することを特徴とする請求項１記載の車載無線通信装置。
【請求項７】
車両内に設けられた車載無線通信装置が備える無線通信装置と無線通信を行う無線機において、
前記車載無線通信装置から通知された情報に基づいて前記車両内にあることを認識する認識部と、
前記車両内であると前記認識部が認識した場合に、通信相手の前記無線通信装置以外に同一の周波数帯を使用する無線通信方式で前記車両内の無線通信を行っている他の無線通信装置の受信電力レベルが過大にならないよう送信電力を調整する送信電力調整部と備えることを特徴とする無線機。
【請求項８】
車両内に設けられた車載無線通信装置が備える無線通信装置と無線通信を行う無線機において、
当該無線機が前記車両内にあるか否かを判定する車内判定部と、
前記車両内にあると前記車内判定部が判定した場合には、通信相手の前記無線通信装置以外に同一の周波数帯を使用する無線通信方式で前記車両内の無線通信を行っている他の無線通信装置の受信電力レベルが過大にならないよう送信電力を調整する送信電力調整部と備えることを特徴とする無線機。
【請求項９】
前記車内判定部は、
前記車載無線通信装置と無線通信を行う際にユーザから車両内であるか否かを示す情報の入力を受け付けるユーザインタフェース部を備え、
前記ユーザインタフェース部が受け付けた前記情報に基づいて前記無線機が前記車両内にあるか否かを判定することを特徴とする請求項８記載の無線機。
【請求項１０】
前記車内判定部は、
前記車載無線通信装置と無線通信を行う際に周囲を撮影するカメラ装置と、
前記カメラ装置が撮影した画像から前記車両内の状況を画像認識する画像認識エンジンとを備え、
前記画像認識エンジンにより前記車両内の状況が画像認識されたか否かに基づいて前記無線機が前記車両内にあるか否かを判定することを特徴とする請求項８記載の無線機。
【請求項１１】
前記車内判定部は、
当該無線機を携帯するユーザの動きを示すモーション情報を検出するモーション検出部を備え、
前記モーション検出部が検出したモーション情報が前記車両内のユーザの動きにマッチするか否かに基づいて前記無線機が前記車両内にあるか否かを判定することを特徴とする請求項８記載の無線機。
【発明の詳細な説明】
【技術分野】
【０００１】
この発明は、同一の周波数帯を使用する無線通信を行う車載無線通信装置および無線機に関する。
【背景技術】
【０００２】
車両内などに、使用周波数が近接した複数の無線通信方式で無線通信を行う無線通信装置が混在する場合、通信干渉、すなわち互いの無線通信装置が使用する電波が雑音となるため、通信品質が劣化する可能性がある。
特に、無線ＬＡＮ（Ｌｏｃａｌ  Ａｒｅａ  Ｎｅｔｗｏｒｋ）とＢｌｕｅｔｏｏｔｈ（登録商標；以下記載を省略する）との周波数チャンネルには、２．４ＧＨｚ帯の周波数が利用されている。そのため、上述のような通信干渉が起こりやすい。【０００３】
特許文献１に記載される無線通信装置は、無線ＬＡＮとＢｌｕｅｔｏｏｔｈのように、同一の周波数帯を使用する異なる無線通信方式の無線通信部を搭載している。この無線通信装置では、使用周波数チャンネルが重ならないよう各無線通信部に割り当てることで、互いの通信干渉を低減させている。
また、特許文献２には、実際の無線ＬＡＮの通信状況に関する統計情報に基づいて、通信干渉を適切に検出または回避する無線通信装置が開示されている。【０００４】
一方、特許文献３に記載の移動端末は、自身が屋内または屋外のいずれに位置するかを判定する機能を有している。例えば、ＧＰＳ（Ｇｌｏｂａｌ  Ｐｏｓｉｔｉｏｎｉｎｇ  Ｓｙｓｔｅｍ）衛星から送信された測位用信号の受信電力と、測位用信号に含まれる位置情報から推定した移動端末の移動距離とに基づいて、移動端末が屋内または屋外のいずれに位置するか判定している。さらに、特許文献３の移動端末は、携帯電話網の基地局からの位置情報および地図情報に基づいて同様の判定を行っている。
【先行技術文献】
【特許文献】
【０００５】
【特許文献１】特開２０１０−２７８７６４号公報
【特許文献２】特開２０１０−２３３１８７号公報
【特許文献３】特開２００９−２８１９２７号公報
【発明の概要】
【発明が解決しようとする課題】
【０００６】
車両内のように金属材料で囲われた狭い閉空間では、車両外への電波拡散が抑えられるために電波伝搬損失が少なく、送信アンテナから多少離れた場所であっても受信電力レベルがある一定の値よりも小さくならない状態となる。この状態で受信電力レベルが過大になって、非線形領域での受信動作になった場合、受信信号が劣化して受信不可の状態になる可能性がある。過大な受信電力レベルにより生じる不具合は、特許文献１に代表される従来の技術のように使用周波数チャンネルの割り当てを制御するだけでは解消することはできない。【０００７】
また、特許文献２に代表される従来の技術では、通信干渉の検出または回避のためには通信状況の統計情報が必要となるため、統計情報が得られるくらいに無線ＬＡＮの通信を継続しなければならない。このため、統計情報を収集する間は、通信干渉の影響を受けてしまうという課題があった。また、特許文献２では、無線ＬＡＮのみを前提としており、同一の周波数帯を使用するＢｌｕｅｔｏｏｔｈへの考慮はされていない。【０００８】
特許文献３のように無線通信装置が位置する場所を判定して、判定結果の場所に応じて通信干渉の対策を行うことも考えられる。
しかしながら、特許文献３に記載の技術は、あくまで屋内または屋外を判定するものであるため、車両内が屋内に属するのか屋外に属するのかを判定することはできない。【０００９】
この発明は、上記のような課題を解決するためになされたもので、車内空間において、受信電力レベルが過大になることによる受信性能の劣化を抑えて通信品質の向上を図ることができる車載無線通信装置および無線機を得ることを目的とする。
【課題を解決するための手段】
【００１０】
この発明に係る車載無線通信装置は、車両内に設けられ、無線通信を行う無線通信装置を備える車載無線通信装置において、車両内にあることを認識した場合には、通信相手の無線通信装置以外に同一の周波数帯を使用する無線通信方式で車両内の無線通信を行っている他の無線通信装置の受信電力レベルが過大にならないよう送信電力を調整する無線機に対して、当該無線機が車両内にあることを認識可能な情報を通知する車内通知処理部を備えることを特徴とするものである。
【発明の効果】
【００１１】
この発明によれば、車内空間において、受信電力レベルが過大になることによる受信性能の劣化を抑えて通信品質の向上を図ることができるという効果がある。
【図面の簡単な説明】
【００１２】
【図１】この発明の実施の形態１に係る車載無線通信装置および無線機を示す図である。
【図２】実施の形態１に係る無線機における無線通信装置の構成を示すブロック図である。
【図３】実施の形態１に係る車載無線通信装置と無線機との通信接続の態様を概略的に示す図である。
【図４】実施の形態１に係る車載無線通信装置と無線機との無線通信が確立するまでのシーケンスを示す図である。
【図５】実施の形態１に係る車載無線通信装置によって無線機へ充電用送電を開始するまでのシーケンスを示す図である。
【図６】実施の形態１に係る車載無線通信装置による無線機の認証が成立するまでのシーケンスを示す図である。
【図７】この発明の実施の形態２に係る車載無線通信装置における無線通信装置の構成を示すブロック図である。
【図８】実施の形態２に係る車載無線通信装置による無線機の送信電力制御のシーケンス（例１）を示す図である。
【図９】実施の形態２に係る車載無線通信装置による無線機の送信電力制御のシーケンス（例２）を示す図である。
【図１０】実施の形態２における無線ＬＡＮの受信電力レベルを示す図である。
【図１１】この発明の実施の形態３に係る車載無線通信装置と無線機との通信接続の態様を概略的に示す図である。
【図１２】実施の形態３に係る無線機における車内判定部の構成を示す図である。
【発明を実施するための形態】
【００１３】
以下、この発明をより詳細に説明するため、この発明を実施するための形態について、添付の図面に従って説明する。
実施の形態１．
図１は、この発明の実施の形態１に係る車載無線通信装置および無線機を示す図である。図１の車内システムは、実施の形態１に係る車載無線通信装置１０および無線機２０を備える。車載無線通信装置１０は、車両１００内に備え付けられた無線通信装置であり、無線機２０は、車両１００の乗員によって車内に持ち込まれて使用される無線機である。
例えば、車載無線通信装置１０は、カーナビゲーション装置またはリアシートエンタテインメント（ＲＳＥ）システムに用いられる。また、無線機２０には、スマートフォン、タブレットＰＣ、ポータブルナビゲーションデバイス（ＰＮＤ）などの携帯用の無線通信端末が挙げられる。
【００１４】
車載無線通信装置１０は、無線通信装置１１、無線機充電処理部１２および無線機認証処理部１３を備え、無線通信装置１１は、第１の無線通信部１１ａおよび第２の無線通信部１１ｂを備える。また、無線機２０は、無線通信装置２１、充電部２２および認証処理部２３を備える。無線機２０の無線通信装置２１は、車載無線通信装置１０が備える無線通信装置１１における第１の無線通信部１１ａまたは第２の無線通信部１１ｂと無線通信が可能である。すなわち、第１の無線通信部１１ａ、第２の無線通信部１１ｂおよび無線通信装置２１は、同一の周波数帯を使用する無線通信方式で無線通信を行う。
【００１５】
無線通信装置１１，２１の無線通信方式としては、無線ＬＡＮ、Ｂｌｕｅｔｏｏｔｈ、Ｋｌｅｅｒ（登録商標；以下記載を省略する）などのように、同一の周波数帯を使用するものを想定している。
なお、図１では、第１の無線通信部１１ａと第２の無線通信部１１ｂが別々のアンテナを使用する場合を示したが、合成・分配器を介して１つのアンテナの端子と、第１の無線通信部１１ａおよび第２の無線通信部１１ｂをそれぞれ接続することにより、アンテナを集約してもよい。
また、図１では、第１の無線通信部１１ａと第２の無線通信部１１ｂが、車載無線通信装置１０の無線通信装置１１に搭載されている場合を示したが、第２の無線通信部１１ｂは、車載無線通信装置１０の無線通信装置１１以外の他の無線通信装置に搭載されていてもよい。
すなわち、この実施の形態１に係る車載無線通信装置１０は、車両１００内にあることを認識した場合には、通信相手の第１の無線通信部１１ａ以外に同一の周波数帯を使用する無線通信方式で車両１００内の無線通信を行っている、第２の無線通信部１１ｂである他の無線通信装置の受信電力レベルが過大にならないよう送信電力を調整する無線機２０に対して、当該無線機２０が車両１００内にあることを認識可能な情報を通知する車内通知処理部を備えるものである。これにより、無線機２０は、通信相手の第１の無線通信部１１ａと無線通信を行うにあたり、車両１００内の無線通信を行っている第２の無線通信部１１ｂの受信電力レベルが過大にならないよう送信電力を調整する。
【００１６】
なお、図１では、無線通信装置１１が第１の無線通信部１１ａおよび第２の無線通信部１１ｂを備える場合を示したが、無線機２０の無線通信装置２１が同一の周波数帯を使用する複数の無線通信方式の無線通信部を備えてもよい。
また、無線通信装置１１，２１が、同一の周波数帯を使用する無線通信方式の無線通信部を３つ以上備えていてもよい。
さらに、第１の無線通信部１１ａと第２の無線通信部１１ｂがそれぞれ別個の無線通信装置に搭載されていてもよく、車載無線通信装置１０は、これらの無線通信装置のうちの少なくとも１つを備えていればよい。
以降では、車載無線通信装置１０が備える無線通信装置１１に搭載された第１の無線通信部１１ａと無線機２０の無線通信装置２１の無線通信方式が“無線ＬＡＮ”であり、無線通信装置１１の第２の無線通信部１１ｂの無線通信方式が“Ｂｌｕｅｔｏｏｔｈ”であるものとして説明を行う。
【００１７】
また、無線通信装置１１は、無線通信を確立するまでの間に通信相手の無線通信装置に対して通信接続用ＩＤを通知する。通信接続用ＩＤは、自身（無線通信装置１１）に固有な識別子（車載装置識別子）、通信相手の無線通信装置が利用可能なサービスの識別子（サービス識別子）などを含んで構成される。
実施の形態１では、無線機２０の無線通信装置２１と無線通信を確立するために第１の無線通信部１１ａが当該無線機２０の無線通信装置２１に通知する通信接続用ＩＤを、無線機２０が車両１００内にあることを認識可能な情報とする。すなわち、車載無線通信装置１０の無線通信装置１１における第１の無線通信部１１ａが、車内通知処理部となる。
例えば、無線機２０が認識可能な車両１００に関する情報である、車両１００を製造したカーメーカーに固有なカーメーカー識別子、車両１００の製造番号およびイン−ビークルネットワーク（“Ｉｎ−Ｖｅｈｉｃｌｅ  Ｎｅｔｗｏｒｋ”）を示す情報の少なくとも１つを利用して通信接続用ＩＤを構成する。イン−ビークルネットワークを示す情報としては、ネットワーク上の無線通信装置１１のノードを指定するＩＤ情報などがある。
無線機２０の無線通信装置２１は、上述の通信接続用ＩＤから、カーメーカー識別子、車両１００の製造番号、およびイン−ビークルネットワークを示す情報のいずれかを特定した場合に、車両１００内であることを認識する。
【００１８】
無線機充電処理部１２は、車載バッテリの電力を充電用電力として無線機２０の充電部２２に供給する処理部である。無線機２０の充電部２２は、無線機充電処理部１２からの充電用電力を用いて、無線機２０のバッテリ（図示せず）を充電する。
無線機充電処理部１２と充電部２２との接続は、例えば、ＵＳＢ（Ｕｎｉｖｅｒｓａｌ  Ｓｅｒｉａｌ  Ｂｕｓ）またはＭＨＬ（Ｍｏｂｉｌｅ  Ｈｉｇｈ−ｄｅｆｉｎｉｔｉｏｎ  Ｌｉｎｋ）などの有線接続、あるいは、電磁共鳴などの無線接続を想定している。
【００１９】
機器間で充電を行う場合においては、送電側の機器から一方的に送電を開始して受電側の機器に電気的な不具合が発生しないように、互いを接続した後に、機器間で所定の機器接続シーケンスが実施される。この機器接続シーケンスでは、送電側と受電側であることを互いに認識させるためのＩＤ情報が機器間でやり取りされる。
実施の形態１では、無線機２０に充電用電力を送電するために無線機充電処理部１２が当該無線機２０に通知する情報を、無線機２０が車両１００内にあることを認識可能な情報とする。すなわち、無線機充電処理部１２が、車内通知処理部となる。
この通知情報としては、例えば、ＵＳＢを介して接続された機器間でやり取りされる“Ｄｅｖｉｃｅ＿ＩＤ”を、通信接続用ＩＤと同様に、無線機２０が認識可能な車両１００に関する情報である、カーメーカー識別子、車両１００の製造番号およびイン−ビークルネットワークを示す情報の少なくとも１つを利用して構成する。
無線機２０の充電部２２は、無線機充電処理部１２からＤｅｖｉｃｅ＿ＩＤを受け取ると、これを無線通信装置２１へ出力する。無線通信装置２１は、Ｄｅｖｉｃｅ＿ＩＤから、カーメーカー識別子、車両１００の製造番号、イン−ビークルネットワークを示す情報のいずれかを特定した場合に、車両１００内であることを認識する。
【００２０】
無線機認証処理部１３は、無線機２０の認証処理部２３との間で認証処理を実施して、無線機２０を認証する処理部である。無線機２０の認証処理部２３は、無線機認証処理部１３による認証処理に必要な認証情報を出力する。
無線機認証処理部１３と認証処理部２３との接続は、例えば、Ｆｅｌｉｃａ（登録商標；以下記載を省略する）またはＮＦＣ（Ｎｅａｒ  Ｆｉｅｌｄ  Ｃｏｍｍｕｎｉｃａｔｉｏｎ）などの無線接続を想定している。
【００２１】
機器間で認証処理を行う場合においては、認証を受ける側の機器から認証する側の機器に認証情報が送信され、この認証情報を用いて認証する側の機器により認証された結果が認証を受ける側の機器へ送信される。
今後の車両は、エンジンキーの代替として、ユーザが所有する無線機を用いることが予想される。この際、無線機の認証を車載装置が行うことによって、この車両のユーザであるか否かを判定することになる。
実施の形態１では、上述のような無線機２０を認証するために無線機認証処理部１３が当該無線機２０に通知する情報を、無線機２０が車両１００内にあることを認識可能な情報とする。すなわち、無線機認証処理部１３が車内通知処理部となる。
この通知情報としては、例えば、無線機認証処理部１３から無線機２０に通知される認証結果の応答（認証応答）を、通信接続用ＩＤと同様に、無線機１０が認識可能な車両１００に関する情報である、カーメーカー識別子、車両１００の製造番号およびイン−ビークルネットワークを示す情報の少なくとも１つを利用して構成する。
無線機２０の認証処理部２３は、無線機認証処理部１３から認証応答を受けると、これを無線通信装置２１へ出力する。無線通信装置２１は、認証応答から、カーメーカー識別子、車両１００の製造番号、およびイン−ビークルネットワークを示す情報のいずれかを特定した場合に、車両１００内であることを認識する。
【００２２】
図２は、実施の形態１に係る無線機における無線通信装置の構成を示すブロック図である。図２に示すように、無線機２０の無線通信装置２１は、車載無線通信装置１０の無線通信装置１１と無線通信を行う無線通信装置であり、無線部２１０、受信部２１１、送信部２１２、認識部２１３および送信電力調整部２１４を備える。
無線部２１０は、アンテナで受信された信号の中から、無線通信装置２１が無線通信で使用する周波数帯の信号を抽出する無線部であり、例えば、使用周波数帯域の信号を通過させるバンドパスフィルタ（ＢＰＦ）である。
【００２３】
受信部２１１は、無線部２１０により抽出された受信信号を復調して受信データを取り出す受信部である。例えば、図２には図示していないが、無線部２１０により抽出された受信信号の入力レベルを増幅する低雑音増幅器、低雑音増幅器の出力信号を中間周波数信号または復調が可能な周波数の信号に周波数変換する周波数変換部、周波数変換部の出力信号に復調処理を施してベースバンド信号を再生する復調部、および、復調部により再生されたベースバンド信号から受信データを取り出す受信制御部を備えて構成される。
【００２４】
送信部２１２は、入力した送信データを変調して生成した送信信号を、無線部２１０を介して送信する送信部である。例えば、図２には図示していないが、無線通信装置２１の外部から送信データを入力して変調部に出力する送信制御部、送信制御部から入力した送信データに変調処理を施して無線通信用のベースバンド信号を生成する変調部、変調部の出力信号（送信信号）を無線通信用の高周波信号に周波数変換する周波数変換部を備えて構成される。
【００２５】
認識部２１３は、車載無線通信装置１０から通知された情報に基づいて車両１００内であることを認識する処理を行う。例えば、カーメーカー識別子、車両１００の製造番号およびイン−ビークルネットワークを示す情報を認識部２１３にあらかじめ設定しておく。認識部２１３は、受信部２１１、充電部２２および認証処理部２３のいずれかが車載無線通信装置１０から通知された情報のうちに、無線機２０が認識可能な車両１００に関する情報が含まれている場合に、無線機２０が車両１００内にあると認識する。
【００２６】
送信電力調整部２１４は、車両１００内にあると認識部２１３が認識した場合に、通信相手の無線通信部１１ａまたは１１ｂの受信電力レベルが過大にならないように送信電力を調整する処理を行う。
例えば、送信部２１２からの出力信号（送信信号）の電力レベルを減衰する減衰器で実現することができる。なお、この減衰器は、車内１００にあると認識部２１３が認識したことを契機としてオンし（オフ時はスルー）、任意の減衰量を設定できるものとする。
また、送信電力調整部２１４は、送信部２１２からの出力信号（送信信号）の電力レベルの高低を調整可能な調整器で構成してもよい。この送信電力調整部２１４では、使用周波数帯における雑音電力レベルが変動した際に、これまでの送信電力レベルを、無線通信部の受信電力レベルが過大にならない上限の電力レベルまで上げる調整を行う場合もあり得る。
【００２７】
図３は、実施の形態１に係る車載無線通信装置と無線機との通信接続の態様を概略的に示す図である。図３において、車載無線通信装置１０が、カーナビゲーション装置などの車載装置であり、無線機２０，２０Ａが、車両１００内に持ち込まれた通信機である場合を示している。また、車載無線通信装置１０の無線通信装置１１における第１の無線通信部１１ａが、無線機２０と無線ＬＡＮで無線通信しようとしており、このとき、第２の無線通信部１１ｂは、無線機２０ＡとＢｌｕｅｔｏｏｔｈで無線通信中であるものとする。
例えば、無線機２０Ａがスマートフォンであり、第２の無線通信部１１ｂとＢｌｕｅｔｏｏｔｈで無線通信接続してハンズフリー通話している際に、携帯可能なパーソナルコンピュータなどの無線機２０が、第１の無線通信部１１ａと無線ＬＡＮによるデータ通信を行おうとしている場合が考えられる。
【００２８】
第１の無線通信部１１ａと第２の無線通信部１１ｂは、独自に電波干渉を回避する機能を有している。例えば、無線通信装置１１は、ＩＥＥＥ８０２．１１ｂ／ｇ／ｎに規定されるＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）機能によって、第１の無線通信部１１ａに使用される周波数帯が、他の無線ＬＡＮおよび他の無線通信方式の無線機に使用されているか否かを実際の電波使用状況の測定結果から判断している（図７で後述する通信有無判定部の機能）。ここで、通信相手以外の他の無線機による無線ＬＡＮおよび他の無線通信方式の無線機で使用されていないと判断されたときに通信を行うことで、他の無線ＬＡＮおよび他の無線通信方式の無線機との干渉および衝突を回避している。
【００２９】
また、第２の無線通信部１１ｂでは、Ｂｌｕｅｔｏｏｔｈ  ＳＩＧ（Ｓｐｅｃｉａｌ  Ｉｎｔｅｒｅｓｔ  Ｇｒｏｕｐ）のバージョン１．２に規定されるＡＦＨ（Ａｕｔｏ  Ｆｒｅｑｕｅｎｃｙ  Ｈｏｐｐｉｎｇ）機能を用いることにより、スペクトラム拡散通信で使用される各ホッピング周波数の通信状態をモニタし、干渉などで通信状態が悪い周波数をホッピング周波数リストから外すことで通信品質の劣化を抑えている。
例えば、Ｂｌｕｅｔｏｏｔｈでは、２．４０２ＧＨｚ〜２．４８０ＧＨｚの周波数範囲で周波数幅１ＭＨｚ（計７９チャンネル）の信号を６２５μｓｅｃ周期で周波数ホッピングを繰り返し、スペクトラム拡散通信を行う。このとき、他の無線機から干渉を受けて通信状態が劣化したチャンネルは、ＡＦＨ機能によってホッピング周波数リストから外すことができる。なお、無線ＬＡＮでは、１チャンネル当たり約２０ＭＨｚの周波数帯域を占有して通信を行う。
従来は、Ｂｌｕｅｔｏｏｔｈと無線ＬＡＮで周波数チャンネルを分離することにより、互いの干渉を回避して、第１の無線通信部１１ａと第２の無線通信部１１ｂの伝送効率を低下させないようにしている。
【００３０】
しかしながら、周波数チャンネル割当を制御することで、電波干渉が抑えられるのは、第１の無線通信部１１ａと第２の無線通信部１１ｂの受信電力レベルが過大でない場合である。図３に示すような車両内空間で、第２の無線通信部１１ｂがＢｌｕｅｔｏｏｔｈによる無線通信を行っているところに、第１の無線通信部１１ａによる無線ＬＡＮの無線通信が開始されると、無線機２０が配置される場所によっては、第２の無線通信部１１ｂが第１の無線通信部１１ａと無線機２０との無線ＬＡＮの受信電力レベルによって過大入力になる。この場合、この周波数チャンネルで通信するときに、第２の無線通信部１１ｂが過大入力となる。受信電力レベルが過大になると、これを増幅する増幅器が非線形領域で動作して受信信号が劣化し、受信不可となる可能性がある。
なお、車内空間における無線信号の受信電力レベルは、あるレベルで収束しかつ比較的高い状態にあるため、上述のような受信電力レベルが過大になる不具合が発生しやすい。
そこで、実施の形態１では、例えば第１の無線通信部１１ａと無線通信を行おうとしている無線機２０に対して、当該無線機２０が車両１００内にあることを認識可能な情報を通知して、第１の無線通信部１１ａ以外に無線通信を行っている第２の無線通信部１１ｂの受信電力レベルが過大入力にならないように送信電力を調整させる。このようにして、車両１００内における通信品質の劣化を抑制する。
【００３１】
次に動作について説明する。
図４は、実施の形態１に係る車載無線通信装置と無線機との無線通信が確立するまでのシーケンスを示す図である。ここでは、第２の無線通信部１１ｂが無線機２０Ａとの間でＢｌｕｅｔｏｏｔｈで無線通信中に、第１の無線通信部１１ａが無線機２０との間で無線ＬＡＮで無線通信を行う場合を示している。
【００３２】
まず、車載無線通信装置１０の無線通信装置１１における第１の無線通信部１１ａは、無線ＬＡＮによる無線通信を確立するために必要な通信接続用ＩＤを、無線機２０の無線通信装置２１に送信する。この通信接続用ＩＤは、無線機２０が車両１００内であることを認識可能な情報となっている。例えば、カーメーカー識別子、車両１００の製造番号、およびイン−ビークルネットワークを示す情報の少なくとも１つで通信接続用ＩＤが構成されている。
【００３３】
無線機２０の無線通信装置２１は、通信接続用ＩＤから車両１００内であると認識された場合に、第２の無線通信部１１ｂの受信電力レベルが過大にならないように送信電力を調整する。例えば、無線機２０の無線通信装置２１において、認識部２１３が、受信部２１１により受信された通信接続用ＩＤを解析し、上述した車両１００に関する情報を検出すると、無線機２０が車両１００内にあることを認識する。この認識結果が得られると、認識部２１３は、送信電力調整部２１４をオン制御する。これにより、送信電力調整部２１４は、第２の無線通信部１１ｂの受信電力レベルが過大にならないように、送信部２１２からの送信信号の送信電力を調整して減衰させる。
なお、第２の無線通信部１１ｂの受信電力レベルが過大にならない範囲で、送信信号の送信電力を上げる調整を行ってもよい。
【００３４】
一方、無線通信装置２１の受信部２１１は、上記通信接続用ＩＤに基づいて、通知元の車載無線通信装置１０の第１の無線通信部１１ａを特定する。この通信相手に関する情報は、受信部２１１から無線通信装置２１の送信部２１２へ通知される。これにより、送信部２１２は、通信接続用ＩＤで特定された通信相手（第１の無線通信部１１ａ）に対して通信接続を要求する。この通信接続要求に対して、第１の無線通信部１１ａが、通信接続を肯定する応答を行うことにより、無線機２０との間で無線通信が確立する。
【００３５】
このように、無線通信を確立する前のネゴシエーション期間に第１の無線通信部１１ａから無線機２０へ通知する情報（通信接続用ＩＤ）を、無線機２０が車両１００内にあることを認識可能な情報とする。これにより、無線通信を行う前から無線機２０の送信電力が調整されるので、既存の他の無線通信への悪影響を与えることがない。
図３の例では、無線機２０が、既に実施中の第２の無線通信部１１ｂと無線機２０ＡとのＢｌｕｅｔｏｏｔｈでの無線通信に影響を与えないように調整した送信電力で、第１の無線通信部１１ａと無線ＬＡＮでの無線通信を行うことができる。
【００３６】
また、無線機２０が車両１００内にあることが認識可能な情報は、充電用接続を介して車載無線通信装置１０から無線機２０へ通知してもよい。
図５は、実施の形態１に係る車載無線通信装置によって無線機へ充電用送電を開始するまでのシーケンスを示す図である。ここでは、第２の無線通信部１１ｂが無線機２０Ａとの間でＢｌｕｅｔｏｏｔｈで無線通信中に、車載無線通信装置１０で無線機２０を充電しながら、第１の無線通信部１１ａが無線機２０との間で無線ＬＡＮで無線通信を行う場合を例に挙げる。
【００３７】
まず、車載無線通信装置１０の無線機充電処理部１２と、無線機２０の充電部２２とを有線または無線で接続する。ここでは、ＵＳＢで両者が充電用接続されたものとする。
無線機充電処理部１２は、充電用接続されると、無線機２０に充電用電力を送電するために必要なデバイスＩＤを、無線機２０の充電部２２に送信する。このデバイスＩＤは、無線機２０が車両１００内にあることを認識可能な情報となっている。例えば、通信接続用ＩＤと同様に、カーメーカー識別子、車両１００の製造番号およびイン−ビークルネットワークを示す情報の少なくとも１つでデバイスＩＤが構成されている。
【００３８】
充電部２２は、車載無線通信装置１０から取得したデバイスＩＤを無線通信装置２１へ通知する。無線通信装置２１は、デバイスＩＤから車両１００内にあると認識された場合に、第２の無線通信部１１ｂの受信電力レベルが過大にならないよう送信電力を調整する。例えば、無線機２０の無線通信装置２１において、認識部２１３が、充電部２２により取得されたデバイスＩＤを解析し、上述した車両１００に関する情報を検出すると、無線機２０が車両１００内にあることを認識する。この認識結果が得られると、認識部２１３は、送信電力調整部２１４をオン制御する。これにより、送信電力調整部２１４は、第２の無線通信部１１ｂの受信電力レベルが過大にならないように、送信部２１２からの送信信号の送信電力を調整して減衰させる。
なお、第２の無線通信部１１ｂの受信電力レベルが過大にならない範囲で、送信信号の送信電力を上げる調整を行ってもよい。
【００３９】
一方、充電部２２は、上記デバイスＩＤに基づいて、通知元の車載無線通信装置１０の無線機充電処理部１２を送電側機器として特定し、受電許可応答を無線機充電処理部１２へ送信する。これにより、無線機充電処理部１２が、無線機２０の充電部２２へ充電用電力の送電を開始する。充電部２２は、無線機２０のバッテリを充電用電力で充電する。
【００４０】
このように、充電処理を開始するためのネゴシエーション期間に無線機充電処理部１２から無線機２０の充電部２２へ通知する情報（例えば、デバイスＩＤ）を、無線機２０が車両１００内にあることを認識可能な情報とする。これにより、充電用接続で無線機２０の送信電力が調整されるので、この後、無線機２０が無線通信を行っても、既存の他の無線通信への悪影響を与えることがない。
【００４１】
無線機２０が車両１００内にあることが認識可能な情報は、認証用接続を介して車載無線通信装置１０から無線機２０へ通知してもよい。
図６は、実施の形態１に係る車載無線通信装置による無線機の認証が成立するまでのシーケンスを示す図である。ここでは、第２の無線通信部１１ｂが無線機２０Ａとの間でＢｌｕｅｔｏｏｔｈで無線通信中に、車載無線通信装置１０で無線機２０を認証してから、第１の無線通信部１１ａが無線機２０との間で無線ＬＡＮで無線通信を行う場合を例に挙げる。
【００４２】
まず、車載無線通信装置１０の無線機認証処理部１３と、無線機２０の認証処理部２３とをＮＦＣなどで接続する。このとき、無線機２０の認証処理部２３が、無線機認証処理部１３に対して認証要求を送信する。この認証要求には、無線機２０のユーザに固有な識別情報などの認証情報が含まれている。
無線機認証処理部１３は、認証要求に含まれる認証情報を基に無線機２０の認証処理を行う。これにより、無線機２０のユーザが認証されると、無線機認証処理部１３は、認証結果を示す認証応答を、無線機２０の認証処理部２３に送信する。
ここでは、この認証応答が、無線機２０が車両１００内にあることを認識可能な情報となっている。例えば、通信接続用ＩＤと同様に、カーメーカー識別子、車両１００の製造番号およびイン−ビークルネットワークを示す情報の少なくとも１つで認証応答が構成されている。
【００４３】
認証処理部２３は、車載無線通信装置１０から取得した認証応答を無線通信装置２１へ通知する。無線通信装置２１は、認証応答から車両１００内にあると認識された場合に、第２の無線通信部１１ｂの受信電力レベルが過大にならないよう送信電力を調整する。
例えば、無線機２０の無線通信装置２１において、認識部２１３が、認証処理部２３により取得された認証応答を解析し、上述した車両１００に関する情報を検出すると、無線機２０が車両１００内であることを認識する。この認識結果が得られると、認識部２１３は、送信電力調整部２１４をオン制御する。これにより、送信電力調整部２１４は、第２の無線通信部１１ｂの受信電力レベルが過大にならないように、送信部２１２からの送信信号の送信電力を調整して減衰させる。
なお、第２の無線通信部１１ｂの受信電力レベルが過大にならない範囲で、送信信号の送信電力を上げる調整を行ってもよい。
【００４４】
一方、認証処理部２３は、認証応答で車載無線通信装置１０による認証が成立する。
これにより、無線機２０は、車載無線通信装置１０と連携した様々なサービスを受けることが可能となる。例えば、認証処理で無線機２０の送信電力が調整されるので、この後に無線機２０と第１の無線通信部１１ａが無線通信を行っても、既存の他の無線通信への悪影響を与えることがない。
【００４５】
なお、上記説明では、無線通信を確立する前のネゴシエーション期間、充電処理を行う際のネゴシエーション期間、および認証処理におけるネゴシエーション期間に、車載無線通信装置１０から、無線機２０が車両１００内にあることを認識可能な情報を通知する場合を示した。ただし、これらの期間の全てで上記情報を通知してもよいが、いずれかの期間で通知してもよい。
また、車載無線通信装置１０から無線機２０へ情報を通知するネゴシエーション期間であれば、上記期間以外に上記情報を通知してもよい。
例えば、車載無線通信装置１０と無線機２０とが他の外部機器を介して接続される態様であってもよい。この場合、外部機器を介して、車載無線通信装置１０の車内通知処理部が、車両１００内であることを認識可能な情報を無線機２０へ通知する。
【００４６】
以上のように、この実施の形態１によれば、車載無線通信装置１０が、車両１００内にあることを認識した場合には、例えば、通信相手の無線通信装置である第１の無線通信部１１ａ以外に同一の周波数帯を使用する無線通信方式で車両１００内の無線通信を行っている他の無線通信装置である第２の無線通信部１１ｂの受信電力レベルが過大にならないように送信電力を調整する無線機２０に対して、無線機２０が車両内にあることを認識可能な情報を通知する車内通知処理部を備える。
また、無線機２０が、車載無線通信装置１０から通知された情報に基づいて車両１００内にあることを認識する認識部２１３と、車両１００内であると認識部２１３が認識した場合に、例えば、通信相手の無線通信装置である第１の無線通信部１１ａ以外に同一の周波数帯を使用する無線通信方式で車両１００内の無線通信を行っている他の無線通信装置である第２の無線通信部１１ｂの受信電力レベルが過大にならないよう送信電力を調整する送信電力調整部２１４と備える。
このように車載無線通信システムを構成することにより、受信電力レベルが過大になることによる受信性能の劣化を抑えて通信品質の向上を図ることができる。
【００４７】
また、この実施の形態１によれば、車内通知処理部が、無線通信装置１１の第１の無線通信部１１ａであり、無線機２０が車両１００内にあることを認識可能な情報が、当該無線機２０と無線通信を確立するために第１の無線通信部１１ａが当該無線機２０へ通知する通信接続用ＩＤを、当該無線機２０が認識可能な車両１００に関する情報を含めて構成したＩＤ情報である。このようにすることで、無線通信を行う前から無線機２０の送信電力が調整されることから、既存の他の無線通信における受信性能の劣化を抑えて通信品質の向上を図ることができる。
【００４８】
さらに、この実施の形態１によれば、車内通知処理部が、無線機２０に対して充電用電力を送電する無線機充電処理部１２であり、無線機２０が車両１００内にあることを認識可能な情報が、当該無線機２０に充電用電力を送電するために無線機充電処理部１２が当該無線機２０へ通知する情報を、当該無線機２０が認識可能な車両１００に関する情報を含めて構成した情報である。このように構成することで、充電処理において無線機２０の送信電力が調整されることから、既存の他の無線通信における受信性能の劣化を抑えて通信品質の向上を図ることができる。
【００４９】
さらに、この実施の形態１によれば、車内通知処理部が、無線機２０の認証処理を行う無線機認証処理部１３であり、無線機２０が車両１００内にあることを認識可能な情報が、当該無線機２０を認証するために無線機認証処理部１３が無線機２０に通知する情報を、当該無線機２０が認識可能な車両１００に関する情報を含めて構成した情報である。
このように構成することで、認証処理において無線機２０の送信電力が調整されることから、既存の他の無線通信における受信性能の劣化を抑えて通信品質の向上を図ることができる。
【００５０】
実施の形態２．
実施の形態２に係る車載無線通信装置においては、他の無線通信があると判定した場合は、車内通知処理部が、通信相手の無線機２０に対して送信電力を調整するよう指示し、他の無線通信がないと判定した場合には、通信相手の無線機２０に対して送信電力の調整を行わないよう指示する。また、車載無線通信装置１０が、自身の無線通信部の受信電力レベルが過大にならない送信電力レベルを決定して無線機２０に通知する。
【００５１】
図７は、この発明の実施の形態２に係る車載無線通信装置における無線通信装置の構成を示すブロック図である。図７に示すように、実施の形態２に係る車載無線通信装置１０の無線通信装置１１は、第１の無線通信部１１ａ、第２の無線通信部１１ｂおよび制御部１１ｃを備える。また、制御部１１ｃは、第１の無線通信部１１ａおよび第２の無線通信部１１ｂの無線通信を制御する制御部であり、その機能構成として通信有無判定部１１ｄ、雑音レベル測定部１１ｅおよび電力レベル決定部１１ｆを備える。
【００５２】
通信有無判定部１１ｄは、例えば、第１の無線通信部１１ａが無線機２０と無線通信を行う際に、第１の無線通信部１１ａ以外の第２の無線通信部１１ｂが他の無線機２０Ａと無線通信中であるか否かを判定する処理を行う。例えば、ＣＳＭＡ／ＣＡ機能によって、第１の無線通信部１１ａが使用する周波数帯が、他の無線ＬＡＮまたは他の無線通信方式の無線機に使用されているか否かを実際の電波使用状況の測定結果から判定する。
なお、第２の無線通信部１１ｂが、車載無線通信装置１０の無線通信装置１１とは別の無線通信装置に搭載されていてもよい。この場合、通信有無判定部１１ｄは、例えば第２の無線通信部１１ｂを搭載する無線通信装置と通信して、当該第２の無線通信部１１ｂが無線通信中であるか否かを判定する。
制御部１１ｃは、通信有無判定部１１ｄが判定した他の無線通信の有無を示す情報に基づいて送信電力調整の可否要求を生成し、無線機充電処理部１２または無線機認証処理部１３へ送信する。
【００５３】
雑音レベル測定部１１ｅは、例えば、第１の無線通信部１１ａが無線機２０と無線通信を行う際に、第１の無線通信部１１ａが使用する周波数帯の雑音電力レベル（以下、雑音レベルＮと呼ぶ）を測定する処理を行う。
電力レベル決定部１１ｆは、雑音レベル測定部１１ｅによって測定された、第１の無線通信部１１ａの受信状態を示す雑音レベルＮに基づいて、第１の無線通信部１１ａ以外の第２の無線通信部１１ｂにおける受信電力レベルが過大にならない送信電力レベルを決定する処理を行う。
決定された電力レベルを示す情報は、電力レベル決定部１１ｆから、無線機充電処理部１２または無線機認証処理部１３へ送られる。
【００５４】
次に動作について説明する。
図８は、実施の形態２に係る車載無線通信装置による無線機の送信電力制御のシーケンス（例１）を示す図である。図８では、図３と同様に、第２の無線通信部１１ｂが無線機２０ＡとＢｌｕｅｔｏｏｔｈで無線通信中に、第１の無線通信部１１ａが無線機２０との間で無線ＬＡＮで無線通信を行う場合を示している。
【００５５】
まず、車載無線通信装置１０の通信有無判定部１１ｄが、第２の無線通信部１１ｂと他の無線機２０Ａとが無線通信中であるか否かを判定する。この判定は、第１の無線通信部１１ａが無線機２０と無線通信を開始した後も継続される。
ここで、第２の無線通信部１１ｂと他の無線機２０Ａとが無線通信中である場合、制御部１１ｃは、無線機２０に送信電力調整を行うよう指示する要求を生成して、無線機充電処理部１２または無線機認証処理部１３へ送信する。
【００５６】
車内通知処理部である無線機充電処理部１２または無線機認証処理部１３は、実施の形態１で示した図５または図６の手順で、無線機２０に対して送信電力調整を行うよう指示する要求を送信する。
この要求は、充電部２２または認証処理部２３から無線通信装置２１へ出力される。
無線通信装置２１は、上記要求から送信電力を調整すべきことが認識された場合に、第２の無線通信部１１ｂの受信電力レベルが過大にならないよう送信電力を調整する。
例えば、無線機２０の無線通信装置２１において、認識部２１３が、充電部２２または認証処理部２３により取得された上記要求を解析して、送信電力を調整すべきことを認識する。この認識結果が得られると、認識部２１３は、送信電力調整部２１４をオン制御する。これにより、送信電力調整部２１４は、第２の無線通信部１１ｂの受信電力レベルが過大にならないように、送信部２１２からの送信信号の送信電力を調整して減衰させる。
なお、第２の無線通信部１１ｂの受信電力レベルが過大にならない範囲で、送信信号の送信電力を上げる調整を行ってもよい。
【００５７】
この後、第１の無線通信部１１ａと無線機２０との無線通信が確立して通信が開始されても、無線機２０は、第２の無線通信部１１ｂと無線機２０ＡとのＢｌｕｅｔｏｏｔｈでの無線通信に影響を与えないように調整した送信電力で無線ＬＡＮによる無線通信を行うことができる。
第１の無線通信部１１ａと無線機２０の無線通信中に、通信有無判定部１１ｄが、第２の無線通信部１１ｂと他の無線機２０Ａとの無線通信が終了したこと（他の通信なし）を判定すると、制御部１１ｃは、無線機２０に送信電力調整を解除するよう指示する要求を生成して、無線機充電処理部１２または無線機認証処理部１３へ送信する。
【００５８】
車内通知処理部である無線機充電処理部１２または無線機認証処理部１３は、同様に、図５または図６の手順で、無線機２０に対して送信電力調整を解除するよう指示する要求を送信する。
この要求は、充電部２２または認証処理部２３から無線通信装置２１へ出力される。
無線通信装置２１は、上記要求から送信電力の調整を解除すべきことが認識された場合に、送信電力の調整を終了する。
例えば、無線機２０の無線通信装置２１において、認識部２１３が、充電部２２または認証処理部２３により取得された上記要求を解析して、送信電力の調整を解除すべきことを認識する。この認識結果が得られると、認識部２１３は、送信電力調整部２１４をオフ制御する。これにより、送信部２１２からの送信信号が元々の送信電力で送信される。
【００５９】
このようにすることで、無線機２０Ａの無線通信に影響を与える可能性がある通信状態で無線機２０の送信電力を適切に調整することができる。また、無線機２０Ａの無線通信に影響を与える可能性がない場合（他の通信がない場合）には、本来の送信電力で無線通信することが可能である。
【００６０】
また、車載無線通信装置１０が、自身の無線通信部の受信電力レベルが過大にならない送信電力レベルを決定し、通信相手の無線機２０に通知してもよい。
図９は、実施の形態２に係る車載無線通信装置による無線機の送信電力制御のシーケンス（例２）を示す図である。なお、図９では、図３と同様に、第２の無線通信部１１ｂが無線機２０ＡとＢｌｕｅｔｏｏｔｈで無線通信中に、第１の無線通信部１１ａが無線機２０との間で無線ＬＡＮで無線通信を行う場合を示している。
【００６１】
まず、雑音レベル測定部１１ｅが、第１の無線通信部１１ａが使用する周波数帯の雑音レベルＮを測定する。
また、無線機２０の充電部２２または認証処理部２３は、充電用接続または認証用接続を介して自己の最大無線送信電力レベルＰｍａｘを示す情報を、車載無線通信装置１０の無線機充電処理部１２または無線機認証処理部１３に送信する。
無線機充電処理部１２または無線機認証処理部１３は、無線機２０の最大無線送信電力レベルＰｍａｘを示す情報を、無線通信装置１１の電力レベル決定部１１ｆへ出力する。
【００６２】
電力レベル決定部１１ｆは、雑音レベル測定部１１ｅによって測定された雑音レベルＮに基づいて、第２の無線通信部１１ｂにおける受信電力レベルが過大にならない送信電力レベルＰを決定する。
例えば、無線機２０の無線ＬＡＮで使用される周波数帯での送信電力レベルは、図１０において破線で示すようになる。電力レベル決定部１１ｆは、第２の無線通信部１１ｂの受信電力レベルが過大にならない、すなわち雑音干渉が発生しない上限となる所定のＸ１ｄＢを雑音レベルＮに加算した値を上記送信電力レベルＰ（＝Ｘ１＋Ｎ）とする。
なお、上記送信電力レベルＰが最大無線送信電力レベルＰｍａｘを超えてしまう場合には、送信電力レベルＰを最大無線送信電力レベルＰｍａｘとする。
【００６３】
また、電力レベル決定部１１ｆが、無線機２０の充電部２２から、充電用接続を介して現在のバッテリの残量Ｂを取得し、このバッテリ残量Ｂが所定の閾値Ｙ未満である場合、上記Ｘ１ｄＢよりも小さいＸ２（＜Ｘ１）ｄＢを雑音レベルＮに加算した値を、送信電力レベルＰ（＝Ｘ２＋Ｎ）に決定する。
【００６４】
上述のようにして決定された電力レベルを示す情報は、電力レベル決定部１１ｆから、無線機充電処理部１２または無線機認証処理部１３へ送られる。
車内通知処理部である無線機充電処理部１２または無線機認証処理部１３は、充電用接続または認証用接続を介して送信電力レベルＰを示す情報を、無線機２０の充電部２２または認証処理部２３に送信する。送信電力レベルＰを示す情報は、充電部２２または認証処理部２３から無線通信装置２１へ出力される。無線通信装置２１は、図１０に示すように、送信信号の送信電力レベルが送信電力レベルＰとなるように送信電力を調整して減衰させる。
【００６５】
この後、第１の無線通信部１１ａと無線機２０との無線通信が確立して通信が開始されても、無線機２０は、第２の無線通信部１１ｂと無線機２０ＡとのＢｌｕｅｔｏｏｔｈでの無線通信に影響を与えない送信電力レベルＰで無線通信することができる。
なお、第２の無線通信部１１ｂの受信電力レベルが過大にならない範囲で、送信信号の送信電力を上げる調整を行ってもよい。
【００６６】
また、無線通信が開始された後でも、無線ＬＡＮの使用周波数帯の雑音レベルＮは変動するので、雑音レベル測定部１１ｅが、周期的に測定した雑音レベルＮあるいは継続して測定していた雑音レベルＮが変動した時点で、雑音レベルＮを電力レベル決定部１１ｆに送信してもよい。これにより、電力レベル決定部１１ｆは、雑音レベルＮの変動に応じた送信電力レベルＰを決定し、この送信電力レベルＰに無線機２０の送信電力を調整することができる。
【００６７】
また、無線機２０のバッテリ残量Ｂも変動することから、無線機２０の充電部２２が、周期的に測定したバッテリ残量Ｂが所定の閾値Ｙ未満になった時点で、その旨を車載無線通信装置１０に通知してもよい。これにより、電力レベル決定部１１ｆは、無線機２０のバッテリ残量Ｂの変動に応じた送信電力レベルＰを決定し、この送信電力レベルＰで無線機２０の送信電力を調整することができる。
【００６８】
以上のように、この実施の形態２によれば、第１の無線通信部１１ａが通信相手の無線機２０と無線通信を行う際に、第１の無線通信部１１ａ以外の第２の無線通信部１１ｂが他の無線機２０Ａと無線通信中であるか否かを判定する通信有無判定部１１ｄを備え、車内通知処理部は、無線通信中であると通信有無判定部１１ｄが判定した場合、通信相手の無線機２０に対して送信電力を調整するよう指示し、無線通信中でないと通信有無判定部１１ｄが判定した場合には、通信相手の無線機２０に対して送信電力の調整を行わないよう指示する。このようにすることで、無線機２０Ａの無線通信に影響を与える通信状態で適切に無線機２０の送信電力を調整することができる。また、無線機２０Ａの無線通信がない場合には、本来の送信電力で無線通信することが可能である。
【００６９】
また、この実施の形態２によれば、第１の無線通信部１１ａの使用周波数帯の電波環境に基づいて、第２の無線通信部１１ｂの受信電力レベルが過大にならない送信電力レベルを決定する電力レベル決定部１１ｆを備え、車内通知処理部が、無線機２０に対して電力レベル決定部１１ｆが決定した送信電力レベルを通知する。
このようにすることで、車載無線通信装置１０側で決定された適切な送信電力レベルＰに無線機２０の送信電力を調整できる。
【００７０】
実施の形態３．
実施の形態３に係る無線機は、自身が車両内にあるか否かを判定する手段を有しており、これにより車両内にあると判定した場合に、車載無線通信装置の無線通信部の受信電力レベルが過大にならないように送信電力を調整する。
【００７１】
図１１は、この発明の実施の形態３に係る車載無線通信装置と無線機との通信接続の態様を概略的に示す図である。図１１において、車載無線通信装置１０の無線通信装置１１における第１の無線通信部１１ａが、無線機２０Ｂと無線ＬＡＮで無線通信しようとしており、このとき、第２の無線通信部１１ｂは、無線機２０ＡとＢｌｕｅｔｏｏｔｈで無線通信中であるものとする。無線機２０Ｂは、無線通信装置２１および車内判定部２４を備えて構成される。車内判定部２４は、無線機２０Ｂが車両１００内にあるか否かを判定する処理を行う。なお、図１と同様に、無線機２０Ｂが、充電部２２および認証処理部２３を備えていてもよい。
また、図１１では、第１の無線通信部１１ａと第２の無線通信部１１ｂが別々のアンテナを使用する場合を示したが、合成・分配器を介して１つのアンテナの端子と、第１の無線通信部１１ａおよび第２の無線通信部１１ｂをそれぞれ接続することにより、アンテナを集約してもよい。
さらに、図１１では、第１の無線通信部１１ａと第２の無線通信部１１ｂが、車載無線通信装置１０の無線通信装置１１に搭載されている場合を示したが、第２の無線通信部１１ｂは、車載無線通信装置１０の無線通信装置１１以外の他の無線通信装置に搭載されていてもよい。
【００７２】
車内判定部２４は、無線機２０Ｂが車両１００内にあると判定すると、その判定結果を無線通信装置２１の送信電力調整部２１４へ通知する。送信電力調整部２１４は、車内判定部２４から車両１００内にあることが通知されるとオンして、第２の無線通信部１１ｂの受信電力レベルが過大にならないように送信信号の送信電力を調整して減衰させる。
なお、第２の無線通信部１１ｂの受信電力レベルが過大にならない範囲で、送信信号の送信電力を上げる調整を行ってもよい。
このように構成することで、無線機２０Ｂの送信電力が調整されることから、既存の他の無線通信（無線機２０Ａの無線通信）における受信性能の劣化を抑えて通信品質の向上を図ることができる。
【００７３】
図１２は、実施の形態３に係る無線機における車内判定部の構成を示す図であり、様々な構成の車内判定部を示している。
図１２（ａ）に示す車内判定部２４Ａは、ＵＩ部２５を備える。ＵＩ部２５は、車載無線通信装置１０と無線通信を行う際にユーザから車両１００内であるか否かを示す情報の入力を受け付ける。例えば、無線機２０Ｂで実行している、無線通信を使用するアプリケーション処理の１つとしてＵＩ部２５を提供する。ＵＩ部２５は、無線機２０Ｂのディスプレイに車内か車外かを選択するための選択画面を表示し、ユーザからの車両１００内であるか否かを示す情報の入力を受け付ける。
【００７４】
車内判定部２４Ａは、ＵＩ部２５が受け付けた情報に基づいて、無線機２０Ｂが車両１００内にあるか否かを判定する。送信電力調整部２１４は、車内判定部２４Ａから車両１００内であることを示すユーザ入力情報が通知されるとオンし、第２の無線通信部１１ｂの受信電力レベルが過大にならないように送信信号の送信電力を調整して減衰させる。
なお、第２の無線通信部１１ｂの受信電力レベルが過大にならない範囲で、送信信号の送信電力を上げる調整を行ってもよい。
このように構成することでも、無線機２０Ｂの送信電力が調整されることから、既存の他の無線通信（無線機２０Ａの無線通信）における受信性能の劣化を抑えて通信品質の向上を図ることができる。
【００７５】
図１２（ｂ）に示す車内判定部２４Ｂは、カメラ装置２６および画像認識エンジン２７を備える。カメラ装置２６は、無線機２０Ｂに備え付けられたカメラ装置であり、無線機２０Ｂで無線通信を使用するアプリケーションの起動に連動して起動し、無線機２０Ｂの周囲を撮影する。画像認識エンジン２７は、カメラ装置２６によって撮影された画像から車両１００内の状況を画像認識する処理を行う。車両１００内の状況としては、例えば、ハンドル、サイドブレーキ、メータなどの車内１００にある機器あるいは計器類が撮影されている状況が挙げられる。
【００７６】
車内判定部２４Ｂは、画像認識エンジン２７によって車両１００内の状況が画像認識されると、無線機２０Ｂが車両１００内にあると判定する。
送信電力調整部２１４は、車内判定部２４Ｂから、無線機２０Ｂが車両１００内にあることが通知されるとオンし、第２の無線通信部１１ｂの受信電力レベルが過大にならないように送信信号の送信電力を調整して減衰させる。
なお、第２の無線通信部１１ｂの受信電力レベルが過大にならない範囲で、送信信号の送信電力を上げる調整を行ってもよい。
このように構成することでも、無線機２０Ｂの送信電力が調整されることから、既存の他の無線通信（無線機２０Ａの無線通信）における受信性能の劣化を抑えて通信品質の向上を図ることができる。
【００７７】
図１２（ｃ）に示す車内判定部２４Ｃは、モーション検出部２８を備える。また、モーション検出部２８は、ジャイロ装置３０、加速度センサ３１および記憶部３２と接続している。ジャイロ装置３０は、無線機２０Ｂを携帯するユーザの動きに応じた角速度を検出する。また、加速度センサ３１は、無線機２０Ｂを携帯するユーザの動きに応じた加速度を検出する。記憶部３２には、ユーザが車両１００に搭乗するときに行う典型的な動きを示すモーション情報が記憶されている。例えば、ドア開閉後の乗り込む際にユーザが上下する動き、車両１００のエンジンかけるまでの停止状態、車発進時の加速度、発進後のエンジンの振動などに起因して無線機２０Ｂに発生する加速度や角速度が、モーション情報となる。
【００７８】
モーション検出部２８は、ジャイロ装置３０および加速度センサ３１の検出結果から、無線機２０Ｂを携帯するユーザの動きを示すモーション情報を検出する。
車内判定部２４Ｃは、モーション検出部２８が検出したモーション情報と記憶部３２に記憶されるモーション情報とのマッチングを行うことで、車両１００にユーザが搭乗するときの動きであるか否かを判定する。
送信電力調整部２１４は、車内判定部２４Ｃから、無線機２０Ｂが車両１００内にあることが通知されるとオンし、第２の無線通信部１１ｂの受信電力レベルが過大にならないように送信信号の送信電力を調整して減衰させる。
なお、第２の無線通信部１１ｂの受信電力レベルが過大にならない範囲で、送信信号の送信電力を上げる調整を行ってもよい。
このように構成することでも、無線機２０Ｂの送信電力が調整されることから、既存の他の無線通信（無線機２０Ａの無線通信）における受信性能の劣化を抑えて通信品質の向上を図ることができる。
【００７９】
なお、上記説明では、ＵＩ部２５、カメラ装置２６および画像認識エンジン２７、モーション検出部２８を用いて、車両１００内であるか否かを判定する場合を示したが、無線機２０Ｂが車両１００内であるか否かを判定することができれば、上記構成に限定されるものではない。例えば、車内判定部２４が、車載無線通信装置１０以外の外部装置から車両１００内であるか否かを示す情報を取得して判定を行ってもよい。
【００８０】
以上のように、この実施の形態３によれば、無線機２０Ｂが、自身が車両１００内にあるか否かを判定する車内判定部２４と、車両１００内にあると車内判定部２４が判定した場合、第１の無線通信部１１ａと無線通信しようとしていれば、第２の無線通信部１１ｂの受信電力レベルが過大にならないように送信電力を調整する送信電力調整部２１４と備えるので、無線機２０Ｂの送信電力が調整されることから、既存の他の無線通信における受信性能の劣化を抑えて通信品質の向上を図ることができる。
【００８１】
また、この実施の形態３によれば、車内判定部２４Ａが、車載無線通信装置１０と無線通信を行う際にユーザから車両１００内であるか否かを示す情報の入力を受け付けるＵＩ部２５を備え、ＵＩ部２５が受け付けた情報に基づいて、無線機２０Ｂが車両１００内にあるか否かを判定するので、無線機２０Ｂの送信電力が調整されることから、既存の他の無線通信における受信性能の劣化を抑えて通信品質の向上を図ることができる。
【００８２】
さらに、この実施の形態３によれば、車内判定部２４Ｂが、車載無線通信装置１０と無線通信を行う際に周囲を撮影するカメラ装置２６と、カメラ装置２６が撮影した画像から車両１００内の状況を画像認識する画像認識エンジン２７とを備え、画像認識エンジン２７により車両１００内の状況が画像認識されたか否かに基づいて、無線機２０Ｂが車両１００内にあるか否かを判定するので、無線機２０Ｂの送信電力が調整されることから、既存の他の無線通信における受信性能の劣化を抑えて通信品質の向上を図ることができる。
【００８３】
さらに、この実施の形態３によれば、車内判定部２４Ｃが、無線機２０Ｂを携帯するユーザの動きを示すモーション情報を検出するモーション検出部２８を備え、モーション検出部２８が検出したモーション情報が車両１００内のユーザの動きにマッチするか否かに基づいて、無線機２０Ｂが車両１００内にあるか否かを判定するので、無線機２０Ｂの送信電力が調整されることから、既存の他の無線通信における受信性能の劣化を抑えて通信品質の向上を図ることができる。
【００８４】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８５】
この発明に係る車載無線通信装置は、車内空間において、受信電力レベルが過大になることによる受信性能の劣化を抑えて通信品質の向上を図ることができるので、様々な無線技術を取り入れた車載情報装置の無線通信装置に好適である。
【符号の説明】
【００８６】
１０  車載無線通信装置、１１，２１  無線通信装置、１１ａ  第１の無線通信部、１１ｂ  第２の無線通信部、１１ｃ  制御部、１１ｄ  通信有無判定部、１１ｅ  雑音レベル測定部、１１ｆ  電力レベル決定部、１２  無線機充電処理部、１３  無線機認証処理部、２０，２０Ａ，２０Ｂ  無線機、２２  充電部、２３  認証処理部、２４，２４Ａ〜２４Ｃ  車内判定部、２５  ＵＩ部、２６  カメラ装置、２７  画像認識エンジン、２８  モーション検出部、３０  ジャイロ装置、３１  加速度センサ、３２  記憶部。
【図１】
2014054170.tif 000003
【図２】
2014054170.tif 000004
【図３】
2014054170.tif 000005
【図４】
2014054170.tif 000006
【図５】
2014054170.tif 000007
【図６】
2014054170.tif 000008
【図７】
2014054170.tif 000009
【図８】
2014054170.tif 000010
【図９】
2014054170.tif 000011
【図１０】
2014054170.tif 000012
【図１１】
2014054170.tif 000013
【図１２】
2014054170.tif 000014
【国際調査報告】
2014054170.tif 000015
2014054170.tif 000016
2014054170.tif 000017
2014054170.tif 000018